(57)【要約】【課題】災害発生時に、利用者の操作によることなく、確実に避難誘導アプリを利用できる避難経路提供システムを実現する。【解決手段】サーバ１０では、平常時にはサーバ１０から各携帯端末２０に向けて提供抑制信号Ｉｓｇが送信されることにより、各携帯端末２０における避難誘導アプリ３２の動作が停止され、利用者に対する避難誘導に関する情報の提供が抑制される。非常時にはサーバ１０から各携帯端末２０に向けた提供抑制信号Ｉｓｇの送信が停止されることにより、各携帯端末２０における避難誘導アプリ３２が起動され、利用者に対する避難誘導に関する情報の提供が開始される。【選択図】        図５
2016044981.tif 000002
【特許請求の範囲】
【請求項１】
サーバと複数の携帯端末装置とがネットワークを介して接続される避難経路提供システムであって、
前記サーバは、
前記携帯端末装置における前記利用者への避難経路の提供を制御する提供制御情報を設定する提供制御情報設定手段と、
前記提供制御情報が提供抑制状態に設定されている間、所定の時間間隔以下の時間間隔で提供抑制信号を生成する提供抑制信号生成手段と、
前記携帯端末装置に対し、前記提供抑制信号を送信する提供抑制信号送信手段と
を備え、
前記携帯端末装置は、
現在位置を検出する現在位置検出手段と、
避難所および避難経路を探索するために必要な道路および避難所の情報を含む誘導基礎情報を記憶する誘導基礎情報記憶手段と、
前記現在位置および前記誘導基礎情報に基づいて、避難所及び避難経路を探索する避難経路探索処理を行い、前記利用者に対し前記避難経路探索処理の結果を提示する避難経路提示手段と、
前記サーバから送信される提供抑制信号を受信する提供抑制信号受信手段と、
前記提供抑制信号が前記所定の時間間隔以下の時間間隔で受信されているか否かを検出する提供抑制信号検出手段と、
前記提供抑制信号検出手段により、前記提供抑制信号が前記所定の時間間隔以下の時間間隔で検出されている間、前記避難経路提示手段による前記利用者に対する前記避難経路探索処理結果の提示を停止し、前記提供抑制信号が前記所定の時間間隔以下の時間間隔で検出されない間、前記避難経路提示手段による前記利用者に対する前記避難経路探索処理結果の提示を実行する、提供制御手段と
を備える避難経路提供システム。
【請求項２】
請求項１に記載の避難経路提供システムであって、
前記提供制御手段は、前記提供抑制信号検出手段により、前記提供抑制信号が前記所定の時間間隔以下の時間間隔で検出されなくなった時点で、前記避難経路提示手段の機能を実現するプログラムを起動する避難経路提供システム。
【請求項３】
請求項２に記載の避難経路提供システムであって、
前記携帯端末装置は、
災害が発生した際に利用者自身の状況を利用者被災情報として入力するための利用者被災情報入力手段を更に備え、
前記避難経路探索手段は、前記利用者被災情報に基づいて前記避難経路探索処理を行うことによって、利用者に応じた避難所を探索するとともに現在位置から避難所までの利用者に応じた避難経路を探索する、避難経路提供システム。
【請求項４】
請求項３に記載の避難経路提供システムであって、
前記利用者被災情報入力手段は、
災害が発生した際の利用者の行動能力に関する状況を入力するための利用者状況入力手段と、
災害が発生した際の利用者の移動可能距離を入力するための移動可能距離入力手段と、
を含む、避難経路提供システム。
【請求項５】
サーバと複数の携帯端末装置とがネットワークを介して接続される避難経路提供システムを利用した避難経路提供方法であって、
前記携帯端末装置における前記利用者への避難経路の提供を制御する提供制御情報を設定する提供制御情報設定ステップと、
前記提供制御情報が提供抑制状態に設定されている間、所定の時間間隔以下の時間間隔で提供抑制信号を生成する提供抑制信号生成ステップと、
前記携帯端末装置に対し、前記提供抑制信号を送信する提供抑制信号送信ステップと、
現在位置を検出する現在位置検出ステップと、
避難所および避難経路を探索するために必要な道路および避難所の情報を含む誘導基礎情報を記憶した誘導基礎情報記憶手段から、避難所および避難経路を探索するために必要な前記誘導基礎情報を抽出する誘導基礎情報抽出ステップと、
前記現在位置および前記誘導基礎情報に基づいて、避難所及び避難経路を探索する避難経路探索処理を行い、前記利用者に対し前記避難経路探索処理の結果を提示する避難経路提示ステップと、
前記サーバから送信される提供抑制信号を受信する提供抑制信号受信ステップと、
前記提供抑制信号が前記所定の時間間隔以下の時間間隔で受信されているか否かを検出する提供抑制信号検出ステップと、
前記提供抑制信号検出手段により、前記提供抑制信号が前記所定の時間間隔以下の時間間隔で検出されている間、前記避難経路提示ステップによる前記利用者に対する前記避難経路探索処理結果の提示を停止し、前記提供抑制信号が前記所定の時間間隔以下の時間間隔で検出されない間、前記避難経路提示手段による前記利用者に対する前記避難経路探索処理結果の提示を実行する、提供制御ステップと
を備える避難経路提供方法。
【請求項６】
請求項５に記載の避難経路提供方法であって、
前記提供制御ステップは、前記提供抑制信号検出ステップにより、前記提供抑制信号が前記所定の時間間隔以下の時間間隔で検出されなくなった時点で、前記避難経路提示手段の機能を実現するプログラムを起動する避難経路提供方法。
【請求項７】
請求項６に記載の避難経路提供方法であって、
携帯端末装置において、災害が発生した際に利用者自身の状況を利用者被災情報として入力するための利用者被災情報入力ステップを更に備え、
前記避難経路探索ステップは、前記誘導基礎情報、前記周辺被災情報及び利用者被災情報に基づいて前記避難経路探索処理を行うことによって、利用者に応じた避難所を探索するとともに現在位置から避難所までの利用者に応じた避難経路を探索する、避難経路提供方法。
【発明の詳細な説明】
【技術分野】
【０００１】
本発明は、地震などの災害が発生したときに携帯端末装置の利用者に避難所までの経路の情報を提供する避難経路提供システム、及び避難経路提供方法に関する。
【背景技術】
【０００２】
携帯電話などの携帯端末装置の高機能化・高解像度化により、近年、電子化された地図を利用するアプリケーションソフトウェアが多く開発されている。そのようなアプリケーションソフトウェアの１つとして、携帯端末装置の利用者（以下、「利用者」という。）を目的地に案内するための「経路探索アプリ」などと呼ばれるアプリケーションソフトウェアが知られている。経路探索アプリを利用することにより、利用者は手元に地図がない場合でも目的地に容易にたどり着くことができる。
【０００３】
ところで、近年、地震などの災害発生時に人々を速やかに避難所に誘導することが重要視されている。特に、土地勘のない観光客などを避難所に誘導することは重要な課題となっている。これに関し、携帯電話などの携帯端末装置が近年広く普及してきたことから、災害発生時に携帯端末装置を用いて利用者を避難所に誘導することが考えられている。ところが、災害が発生すると、通信回線の混雑によってサーバから携帯端末装置へのデータのダウンロードに多大な時間を要したり、あるいは、通信インフラの障害によってサーバから携帯端末装置へのダウンロードが不可能になることがある。このような場合には、携
帯端末装置では、避難経路の探索・表示を行うことができない。
【０００４】
そこで、特許文献１には、災害が発生してサ−バと携帯端末装置との間で通信ができない場合であっても携帯端末装置による避難経路の経路案内をできるようにした避難経路提供システムの発明が開示されている。この避難経路提供システムによれば、平常時に、避難経路や地図のデータが経路探索サーバから携帯端末装置に定期的にダウンロードされる。そして、災害の発生等により携帯端末装置と経路探索サーバとの間の通信が遮断された場合には、平常時にダウンロードしておいたデータに基づいて、携帯端末装置の表示手段に避難経路が表示される。このようにして、通信インフラに障害が生じている場合でも避難経路の情報を利用者に提供することが可能となっている。
【０００５】
また、特許文献１に開示された発明によれば、災害が発生していない状態である平常時と、災害が発生し、避難経路探索を行って避難誘導を行うべき状況である災害時避難モードとを切り替えるモード選択手段を携帯端末装置側に設けており、災害が発生した時点で利用者がモード選択手段により災害時避難モードを選択することで、避難誘導を行うことができる。
【先行技術文献】
【特許文献】
【０００６】
【特許文献１】特開２００７−１４７３４０号公報
【発明の概要】
【発明が解決しようとする課題】
【０００７】
ところが、特許文献１に開示された発明によれば、災害時避難モードの選択は利用者の操作に委ねられているため、利用者の操作ミスにより避難誘導の開始が遅れ、迅速な避難ができなくなる可能性が存在する。
【０００８】
また、災害が発生していない状況においても、サーバとの通信遮断に対応するため予め携帯端末装置側へ地図のデータ等がダウンロードされているため、利用者が携帯端末装置のモード選択手段を操作して災害時避難モードを選択することで、平常時にも避難誘導用の地図ソフトを使用することが可能となり、この行為は本来の目的から外れる使用にあたり好ましくない。
【０００９】
そこで、本発明は、災害発生時に利用者の操作によらず避難誘導を開始することができ、平常時には避難誘導用の地図ソフト等の使用を抑制する事が可能な避難経路提供システムを実現することを目的とする。
【課題を解決するための手段】
【００１０】
第１の発明は、サーバと複数の携帯端末装置とがネットワークを介して接続される避難経路提供システムであって、サーバは、携帯端末装置における利用者への避難経路の提供を制御する提供制御情報を設定する提供制御情報設定手段と、提供制御情報が提供抑制状態に設定されている間、所定の時間間隔以下の時間間隔で提供抑制信号を生成する提供抑制信号生成手段と、携帯端末装置に対し、提供抑制信号を送信する提供抑制信号送信手段とを備え、携帯端末装置は、現在位置を検出する現在位置検出手段と、避難所および避難経路を探索するために必要な道路および避難所の情報を含む誘導基礎情報を記憶する誘導基礎情報記憶手段と、現在位置および誘導基礎情報に基づいて、避難所及び避難経路を探索する避難経路探索処理を行い、利用者に対し避難経路探索処理の結果を提示する避難経路提示手段と、サーバから送信される提供抑制信号を受信する提供抑制信号受信手段と、提供抑制信号が所定の時間間隔以下の時間間隔で受信されているか否かを検出する提供抑制信号検出手段と、提供抑制信号検出手段により、提供抑制信号が所定の時間間隔以下の時間間隔で検出されている間、避難経路提示手段による利用者に対する避難経路探索処理結果の提示を停止し、提供抑制信号が所定の時間間隔以下の時間間隔で検出されない間、避難経路提示手段による利用者に対する避難経路探索処理結果の提示を実行する、提供制御手段とを備えることを特徴とする。
【００１１】
第２の発明は、第１の発明において、提供制御手段は、提供抑制信号検出手段により、提供抑制信号が所定の時間間隔以下の時間間隔で検出されなくなった時点で、避難経路提示手段の機能を実現するプログラムを起動することを特徴とする。
【００１２】
第３の発明は、第２の発明において、携帯端末装置は、災害が発生した際に利用者自身の状況を利用者被災情報として入力するための利用者被災情報入力手段を更に備え、避難経路探索手段は、利用者被災情報に基づいて避難経路探索処理を行うことによって、利用者に応じた避難所を探索するとともに現在位置から避難所までの利用者に応じた避難経路を探索することを特徴とする。
【００１３】
第４の発明は、第３の発明において、利用者被災情報入力手段は、災害が発生した際の利用者の行動能力に関する状況を入力するための利用者状況入力手段と、災害が発生した際の利用者の移動可能距離を入力するための移動可能距離入力手段と、を含む、ことを特徴とする。
【００１４】
第５の発明は、サーバと複数の携帯端末装置とがネットワークを介して接続される避難経路提供システムを利用した避難経路提供方法であって、携帯端末装置における利用者への避難経路の提供を制御する提供制御情報を設定する提供制御情報設定ステップと、提供制御情報が提供抑制状態に設定されている間、所定の時間間隔以下の時間間隔で提供抑制信号を生成する提供抑制信号生成ステップと、携帯端末装置に対し、提供抑制信号を送信する提供抑制信号送信ステップと、現在位置を検出する現在位置検出ステップと、避難所および避難経路を探索するために必要な道路および避難所の情報を含む誘導基礎情報を記憶した誘導基礎情報記憶手段から、避難所および避難経路を探索するために必要な誘導基礎情報を抽出する誘導基礎情報抽出ステップと、現在位置および誘導基礎情報に基づいて、避難所及び避難経路を探索する避難経路探索処理を行い、利用者に対し避難経路探索処理の結果を提示する避難経路提示ステップと、サーバから送信される提供抑制信号を受信する提供抑制信号受信ステップと、提供抑制信号が所定の時間間隔以下の時間間隔で受信されているか否かを検出する提供抑制信号検出ステップと、提供抑制信号検出手段により、提供抑制信号が所定の時間間隔以下の時間間隔で検出されている間、避難経路提示ステップによる利用者に対する避難経路探索処理結果の提示を停止し、提供抑制信号が所定の時間間隔以下の時間間隔で検出されない間、避難経路提示手段による利用者に対する避難経路探索処理結果の提示を実行する、提供制御ステップとを備えることを特徴とする。
【００１５】
第６の発明は、第５の発明において、提供制御ステップは、提供抑制信号検出ステップにより、提供抑制信号が所定の時間間隔以下の時間間隔で検出されなくなった時点で、避難経路提示手段の機能を実現するプログラムを起動することを特徴とする。
【００１６】
第７の発明は、第６の発明において、携帯端末装置において、災害が発生した際に利用者自身の状況を利用者被災情報として入力するための利用者被災情報入力ステップを更に備え、避難経路探索ステップは、誘導基礎情報、周辺被災情報及び利用者被災情報に基づいて避難経路探索処理を行うことによって、利用者に応じた避難所を探索するとともに現在位置から避難所までの利用者に応じた避難経路を探索することを特徴とする。
【発明の効果】
【００１７】
上記の発明によれば、平常時にはサーバ側から携帯端末装置に向けて継続的に提供抑制信号が送信され、災害発生時に提供抑制信号の送信が停止されるため、避難経路の探索及び利用者への避難経路情報の提供は災害時、あるいは避難訓練など特別な状況の下でのみ行われることとなる。
【００１８】
また、サーバ側から携帯端末装置に向けた提供抑制信号の送信は、平常時に行われるため、災害発生時にサーバ側と携帯端末装置の通信が遮断された時点で、携帯端末装置側で避難誘導に関する機能の利用が可能となる。従って、大規模災害などでサーバ側と携帯端末装置の間の通信が不可能となった場合であっても、利用者の操作によらず迅速に避難誘導に関する機能を利用することが可能となる。
【図面の簡単な説明】
【００１９】
【図１】本発明の第１の実施形態に係る避難経路提供システムを実現する機器構成を示すブロック図である。
【図２】上記第１の実施形態において、避難誘導・提示管理アプリの構成を示すブロック図である。
【図３】上記第１の実施形態において、サーバのハードウェア構成を示すブロック図である。
【図４】上記第１の実施形態において、携帯端末装置のハードウェア構成を示すブロック図である。
【図５】上記第１の実施形態において、避難経路提供システムの詳細な機能構成を示すブロック図である。
【図６】上記第１の実施形態において、利用者状況入力手段の一画面例を示す図である。
【図７】上記第１の実施形態において、移動可能距離入力手段の一画面例を示す図である。
【図８】上記第１の実施形態において、避難経路探索手段による避難所・避難経路の探索について説明するための図である。
【図９】上記第１の実施形態において、サーバにおける動作プロセスについて説明するためのフローチャートである。
【図１０】上記第１の実施形態において、携帯端末装置における動作プロセスについて説明するためのフローチャートである。
【図１１】上記第１の実施形態において、携帯端末装置における避難経路の探索に関する動作プロセスについて説明するためのフローチャートである。
【発明を実施するための形態】
【００２０】
以下、添付図面を参照しつつ本発明の実施形態について説明する。尚、以下において、「アプリケーションソフトウェア」のことを「アプリ」と略記している。
＜１．第１の実施形態＞
＜１．１  全体構成＞
【００２１】
図１は、本発明の第１の実施形態に係る避難経路提供システムを実現する機器構成を示すブロック図である。この避難経路提供システムは、サーバ１０と複数の携帯端末装置２０とによって実現される。サーバ１０と携帯端末装置２０とは、インターネットなどの通信回線を介して接続されている。
【００２２】
本実施形態において、避難経路提供システムを実現するために、避難誘導用のアプリとこの避難誘導用のアプリの動作を制御する提示管理用のアプリが統合された避難誘導・提示管理アプリが携帯端末装置２０にインストールされる。避難誘導・提示管理アプリ３０は、図２に示すように、避難誘導アプリ３２と提示管理アプリ３４とによって構成されている。避難誘導アプリ３２は、地震などの災害が発生した際、または避難訓練を行う場合等において、利用者に対し、現在位置から適切な避難所までの避難経路を提示するためのソフトウェアである。また、提示管理アプリ３４は、平常時と災害発生時（避難訓練等の特別な状況も含む）とで避難誘導用アプリ３２の動作を制御するためのソフトウェアである。
【００２３】
図３は、サーバ１０のハードウェア構成を示すブロック図である。サーバ１０は、ＣＰＵ１１、ＲＯＭ１２、ＲＡＭ１３、補助記憶装置１４、通信制御部１５、入力操作部１６、及び表示部１７を有している。ＣＰＵ１１は、このサーバ１０の全体を制御するために各種演算処理等を行う。ＲＯＭ１２は、読み出し専用のメモリであって、例えばサーバ１０の起動時にＣＰＵ１１に実行させる初期プログラムなどを格納する。ＲＡＭ１３は、書き込み可能な揮発性のメモリであって、実行中のプログラムやデータ等を一時的に格納する。補助記憶装置１４は、磁気ディスク装置などであって、サーバ１０の電源がオフされても保持されるべき各種プログラム・各種データを格納する。通信制御部１５は、外部へのデータ送信の制御や外部からのデータ受信の制御を行う。入力操作部１６は、例えばキーボードやマウスであって、オペレータによる入力操作を受け付ける。表示部１７は、ＣＰＵ１１からの指令に基づいて、画像の表示を行う。
【００２４】
図４は、携帯端末装置２０のハードウェア構成を示すブロック図である。携帯端末装置２０は、ＣＰＵ２１、フラッシュＲＯＭ２２、ＲＡＭ２３、通信制御部２４、ＧＰＳ処理部２５、入力操作部２７、及び表示部２８を有している。ＣＰＵ２１は、この携帯端末装置２０の全体を制御するために各種演算処理等を行う。フラッシュＲＯＭ２２は、書き込み可能な不揮発性のメモリであって、携帯端末装置２０の電源がオフされても保持されるべき各種プログラム・各種データを格納する。ＲＡＭ１３は、書き込み可能な揮発性のメモリであって、実行中のプログラムやデータ等を一時的に格納する。通信制御部２４は、外部へのデータ送信の制御や外部からのデータ受信の制御を行う。ＧＰＳ処理部２５は、ＧＰＳ衛星から受信する電波に基づいて、利用者の現在位置を特定するための位置情報（緯度・経度の情報）を取得する。入力操作部２７は、例えばタッチパネルであって、利用者による入力操作を受け付ける。表示部２８は、ＣＰＵ２１からの指令に基づいて、画像の表示を行う。
【００２５】
携帯端末装置２０内において、避難誘導アプリ３２を実現する避難誘導プログラム、及び提示管理アプリ３４を実現する提示管理プログラムは、フラッシュＲＯＭ２２に格納される。避難誘導プログラム及び提示管理プログラムは、典型的にはインターネットなどの通信回線を介してサーバ１０から携帯端末装置２０にダウンロードされ、当該携帯端末装置２０内のフラッシュＲＯＭ２２にインストールされる。
＜１．２  避難経路提供システムの詳細な構成＞
【００２６】
図５は、避難経路提供システムの詳細な機能構成を示すブロック図である。上述したように、この避難経路提供システムは、サーバ１０と携帯端末装置２０とによって構成されている。
【００２７】
サーバ１０は、提供制御情報設定手段１３０、提供抑制信号生成手段１４０、データ送信手段１５０を有している。
【００２８】
携帯端末装置２０は、データ受信手段２１０、誘導基礎情報記憶手段２２０、現在位置情報取得手段２３０、避難経路探索手段２４０、利用者状況入力手段２６０、移動可能距離入力手段２７０、表示手段２５０、提供抑制信号検出手段２８０、及び提供制御手段２９０を有している。
【００２９】
尚、現在位置情報取得手段２３０によって現在位置検出手段が実現され、利用者状況入力手段２６０、及び移動可能距離入力手段２７０によって利用者被災情報入力手段が実現されている。
【００３０】
まず、サーバ１０の各構成要素の動作について説明する。提供制御情報設定手段１３０は携帯端末装置２０における避難誘導アプリ３２による避難所・避難経路の探索結果Ｒｅの利用者への提供を制御するための情報である提供制御情報Ｃｄａを設定する。提供制御情報Ｃｄａには、災害が発生していない状況である「平常時」に対応する情報と、災害発生時や避難訓練が行われる等、利用者への避難誘導に関する情報の提供が必要な状況である「非常時」に対応する情報のいずれかが設定される。尚、提供制御情報設定手段１３０による提供制御情報Ｃｄａの設定については、オペレータが入力操作部１６及び表示部１７を操作して設定する、あるいは災害発生メール等を受信する等により、災害が発生しているか否かを自動的に判断して設定する等、種々の手段により行われる。
【００３１】
提供抑制信号生成手段１４０は、提供制御情報設定手段１３０により設定された提供制御情報Ｃｄａに基づいて、提供抑制信号Ｉｓｇの生成を行う。即ち、提供制御情報Ｃｄａが「平常時」である場合、携帯端末装置２０において利用者への避難誘導情報の提供は不要であるため、「所定の時間間隔」以下の時間間隔毎に提供抑制信号Ｉｓｇの生成を行い、提供制御情報Ｃｄａが「平常時」である間、継続的に提供抑制信号Ｉｓｇを生成する。また、提供制御情報Ｃｄａが「非常時」である場合、提供抑制信号Ｉｓｇの生成を停止し、提供制御情報Ｃｄａが「非常時」である間、提供抑制信号Ｉｓｇの生成を停止した状態を維持する。
【００３２】
尚、上記の「所定の時間間隔」については、災害発生時に迅速に利用者に対して避難誘導に関する情報を提供し、平常時はサーバ１０から各携帯端末装置２０へ送信されるデータ量を極端に増加させない点を考慮して設定され、例えば１秒から５秒の間の値が設定される。
【００３３】
データ送信手段１５０は、提供抑制信号生成手段１４０により提供抑制信号Ｉｓｇが生成された時点で、提供抑制信号Ｉｓｇを携帯端末装置２０に送信する。従って、提供制御情報Ｃｄａが「平常時」である間、継続的に提供抑制信号Ｉｓｇが携帯端末装置２０に送信され続けることとなる。この、データ送信手段が本発明における提供抑制信号送信手段に相当する。
【００３４】
次に、携帯端末装置２０の各構成要素の動作について説明する。データ受信手段２４０は、サーバ１０から送信されるデータを受信する。尚、サーバ１０から携帯端末装置２０には、携帯端末装置２０における避難誘導アプリ３２の動作を制御するための提供抑制信号Ｉｓｇが送信される。この、データ受信手段が本発明における提供抑制信号受信手段に相当する。
【００３５】
利用者状況入力手段２６０は、災害が発生した際の利用者（被災者）の被災状況や運動能力（避難経路上の障害を回避・克服できる能力）を利用者に入力させるための手段である。この利用者状況入力手段２６０は、表示部２８に例えば図６に示すような画面を表示することによって実現される。図６に示すように、例えば「登れる」、「走れる」、「平坦のみ」、「車いす」、「足の怪我」、「歩けない」、「担架」、「子連れ」、「乳母車」などの状態を示すボタンが表示される。利用者は、該当する状態を示すボタンを押すだけで良い。利用者状況入力手段２６０によって入力された内容を示す利用者状況情報Ｉｄａは、避難経路探索手段２４０によって使用される。
【００３６】
尚、図６に示した画面は一例であって、画面のレイアウトや画面に表示される項目はこれには限定されない。この点については、後述する移動可能距離入力手段２７０（図７参照）についても同様である。
【００３７】
移動可能距離入力手段２７０は、災害が発生した際の利用者（被災者）の移動手段や移動可能距離を利用者に入力させるための手段である。この移動可能距離入力手段２７０は、表示部２８に例えば図７に示すような画面を表示することによって実現される。図７に示すように、例えば「徒歩」、「自転車」、「車」などの移動手段を示すボタンと、移動可能距離の入力が可能な入力ボックスとが表示される。利用者は、該当する移動手段を示すボタンを押し、移動可能距離を入力する。移動可能距離入力手段２７０によって入力された内容を示す移動能力情報Ｄｄａは、避難経路探索手段２４０によって使用される。
【００３８】
誘導基礎情報記憶手段２２０は、地図や道路に関する情報、規制情報や混雑に関する統計情報など避難経路探索に必要な情報である誘導基礎情報Ｂｄａを記憶する。誘導基礎情報記憶手段２２０はフラッシュＲＯＭ２２上に設けられ、本実施形態においては、避難誘導アプリ３２の一部としてフラシュＲＯＭ２２にダウンロードされる。尚、誘導基礎情報Ｂｄａの携帯端末装置２０への入力については上記形態に限られない。即ち、サーバ１０から随時データを携帯端末装置２０へ送信して更新する形態を採用してもよいし、各携帯端末２０の現在位置情報Ｇｄａをサーバ１０へ送信し、サーバ１０側で各携帯端末２０の位置に応じた情報を選別して携帯端末装置２０へ個別に誘導基礎情報Ｂｄａを送信する態様を採用してもよい。
【００３９】
また、誘導基礎情報Ｂｄａ自体についても、地図や道路に関する情報は頻繁に更新する必要が無いため、予め避難誘導アプリ３２の一部としてインストールしておき、規制情報や混雑情報など、頻繁に更新することが求められる情報のみ、サーバ１０から各携帯端末装置２０へデータを送信し、随時誘導基礎情報Ｂｄａを更新する態様を採っても良い。
【００４０】
避難経路探索手段２４０は、現在位置情報Ｇｄａ、利用者状況情報Ｉｄａ、移動能力情報Ｄｄａ、誘導基礎情報記憶手段２２０に格納されている誘導基礎情報Ｂｄａとに基づいて、利用者にとっての最適な避難所・避難経路を探索する。より詳しくは、避難経路探索手段２４０は、図８に示すように、現在位置情報Ｇｄａ、利用者状況情報Ｉｄａ、及び移動能力情報Ｄｄａに基づいて、誘導基礎情報Ｂｄａを用いて利用者にとっての最適な避難所・避難経路を探索する。避難経路探索手段２４０による避難所・避難経路の探索結果Ｒｅは、表示手段２５０に表示される。
【００４１】
表示手段２５０は、各種情報の表示を行う。災害時においては、避難経路探索手段２４０によって避難経路の探索が実行され、表示手段２５０に避難所・避難経路の探索結果Ｒｅが表示される。
【００４２】
この、避難経路探索手段２４０及び表示手段２５０が本発明における避難経路提示手段に相当する。
【００４３】
提供抑制信号検出手段２８０は、データ受信手段２１０が受信したデータのうちから、提供抑制信号Ｉｓｇを検出し、その提供抑制信号Ｉｓｇが「所定の時間間隔」以下の時間間隔で受信されていることを検出し、「平常時」であると判断する。また、提供抑制信号Ｉｓｇが「所定の時間間隔」以下の時間間隔で受信されていないことを検出し、「非常時」であると判断する。
【００４４】
提供制御手段２９０は、提供抑制信号検出手段２８０の判断内容に基づいて、避難誘導アプリ３２の動作を制御する。即ち、提供抑制信号検出手段２８０による判断が「平常時」である場合は、避難誘導アプリ３２による利用者への避難所・避難経路の情報の提供を停止し、「非常時」である場合は、避難誘導アプリ３２による利用者への避難所・避難経路の情報の提供を実施する。提供抑制信号検出手段２８０による避難誘導アプリ３２の制御の詳細については後述する。
＜１．３  サーバ側での処理＞
【００４５】
次に、図９に示すフローチャートを参照しつつ、サーバ１０における動作プロセスについて説明する。
【００４６】
サーバ１０では、まず、提供制御情報設定手段１３０により提供制御情報Ｃｄａの設定が行われる（ステップＳ４１０）。提供制御情報設定手段１３０による提供制御情報Ｃｄａの設定については、オペレータが入力差操作部１６及び表示部１７を操作して設定する、あるいは災害発生メール等を受信する等により、災害が発生しているか否かを自動的に判断して設定する等、種々の手段により行われる。この、提供制御情報設定手段１３０による提供制御情報Ｃｄａを設定するステップが本発明における提供制御情報設定ステップに相当する。
【００４７】
尚、この提供情報制御設定ステップは、必ずしも図９におけるステップＳ４１０の位置で実行される必要はなく、別のプロセスやタスクにて実行され、提供設定情報Ｃｄａを設定するようにしてもよい。
【００４８】
次に、提供設定情報Ｃｄａの内容（値）による動作の振り分けが行われる（ステップＳ４２０）。
【００４９】
提供設定情報Ｃｄａが「平常時」である場合、携帯端末装置２０における避難誘導アプリ３２による避難所・避難経路への避難誘導に関する情報の提供を停止する処理が行われる。
【００５０】
まず、提供抑制信号生成手段１４０が提供抑制信号Ｉｓｇの生成を行う（ステップＳ４３０）。この提供抑制信号生成手段１４０が提供抑制信号Ｉｓｇの生成を行うステップが、本発明における提供抑制信号生成ステップに相当する。
【００５１】
提供抑制信号生成手段１４０で生成された提供抑制信号Ｉｓｇはデータ送信手段１５０に送られ、データ送信手段１５０では提供抑制信号Ｉｓｇを受けた時点で各携帯端末装置２０それぞれに対して提供抑制信号Ｉｓｇの送信を行う（ステップＳ４４０）。この、データ送信手段１５０から各携帯端末装置２０それぞれに対して提供抑制信号Ｉｓｇの送信を行うステップが提供抑制信号送信ステップに相当する。
【００５２】
提供抑制信号送信ステップが行われた後、第１の特定時間待機する（ステップＳ４５０）。この「第１の特定時間」は、サーバ１０から各携帯端末２０に対して提供抑制信号Ｉｓｇを継続的に送信する状況において、時間的に隣接した２つの提供抑制信号Ｉｓｇの時間間隔として設定される「所定の時間間隔」に対し、図９のフローチャートにおける各ステップを実行する時間を勘案して、上記「所定の時間間隔」より短い時間が設定される。
【００５３】
「第１の特定時間」の待機が終了すると、一連の処理が終了したこととなるため、再び提供制御情報設定ステップ（ステップＳ４１０）が実行される。
【００５４】
提供設定情報Ｃｄａが「非常時」である場合、携帯端末装置２０における避難誘導アプリ３２による避難所・避難経路への避難誘導に関する情報の提供を行う必要が有るため、各携帯端末装置２０それぞれに対する提供抑制信号Ｉｓｇを送信する処理に関するステップは実行されず、特定時間待機する処理（ステップＳ４５０）のみ実行される。
【００５５】
即ち、ステップＳ４２０において提供設定情報Ｃｄａが「非常時」であると判断された場合、提供抑制信号生成ステップ（ステップＳ４３０）と提供抑制信号送信ステップ（ステップＳ４４０）の実行が行われることなく、特定時間待機ステップ（ステップＳ４５０）が行われ、「第１の特定時間」の待機が終了すると、一連の処理が終了したこととなるため、再び提供制御情報設定ステップ（ステップＳ４１０）が実行される。
【００５６】
このように、図９に示す一連の処理を、「第１の特定時間」待機しながら繰り返し実行することで、提供設定情報Ｃｄａが「平常時」である場合は、提供抑制信号Ｉｓｇが「所定の時間間隔」以下の時間間隔で各携帯端末装置２０に送信され、提供設定情報Ｃｄａが「非常時」である場合は提供抑制信号Ｉｓｇの各携帯端末装置２０への送信が停止される。
＜１．４  携帯端末装置側での提示管理アプリの処理＞
【００５７】
次に、図１０に示すフローチャートを参照しつつ、携帯端末装置２０における提示管理アプリ３４の動作プロセスについて説明する。
【００５８】
携帯端末装置２０では、まず、提示管理アプリ３４が起動される（ステップＳ５１０）。
【００５９】
提示管理アプリ３４の起動後、データ受信手段２１０により、サーバ１０からのデータの受信が行われる（ステップＳ５２０）。このデータ受信手段２１０による、サーバ１０からのデータの受信を行うステップが、本発明における提供抑制信号受信ステップに相当する。
【００６０】
提供抑制信号受信ステップ（ステップＳ５２０）により、サーバ１０からのデータが受信されている場合、そのデータが提供抑制信号Ｉｓｇであるかどうかの確認が行われ提供抑制信号Ｉｓｇが受信されたか否かで動作の振り分けが行われる（ステップＳ５３０）。
【００６１】
提供抑制信号Ｉｓｇを受信したと判断された場合（ステップＳ５３０における「Ｙｅｓ」の側）、携帯端末装置２０における避難誘導アプリ３２による避難所・避難経路への避難誘導に関する情報の提供を停止する処理が行われる（ステップＳ５４０）。本実施形態においては、避難誘導アプリ３２を実行するプロセス（タスク）を停止することで、避難誘導に関する情報の提供を停止する。
【００６２】
提供抑制信号Ｉｓｇを受信しなかったと判断された場合（ステップＳ５３０における「Ｎｏ」の側）、携帯端末装置２０における避難誘導アプリ３２による避難所・避難経路への避難誘導に関する情報の提供を開始する処理が行われる（ステップＳ５５０）。本実施形態においては、避難誘導アプリ３２を構成するソフトウェアがフラッシュＲＯＭ２２からＲＡＭ２３へロードされ、ＣＰＵ２１による実行を開始することで避難誘導に関する情報の提供を開始する。尚、避難誘導アプリ３２による避難誘導に関する処理の詳細については後述する。
【００６３】
提供抑制信号Ｉｓｇの受信状態による避難誘導アプリ３２の起動（ステップＳ５５０）または停止（ステップＳ５４０）が行われた後、第２の特定時間待機する（ステップＳ５６０）。この「第２の特定時間」は、サーバ１０から各携帯端末２０に対して提供抑制信号Ｉｓｇを継続的に送信する状況において、時間的に隣接した２つの提供抑制信号Ｉｓｇの時間間隔として設定される「所定の時間間隔」に対し、図１０のフローチャートにおける各ステップを実行する時間を勘案して、上記「所定の時間間隔」より短い時間が設定される。
【００６４】
「第２の特定時間」の待機が終了すると、一連の処理が終了したこととなるため、再び提供抑制信号受信ステップ（ステップＳ５２０）が実行される。
【００６５】
このように、図１０に示す一連の処理を、「第２の特定時間」待機しながら繰り返し実行することで、各形態端末装置２０において提供抑制信号Ｉｓｇが「所定の時間間隔」以下の時間間隔で受信され続けている間、避難誘導アプリ３２による利用者への避難誘導に関する情報の提供が停止され、提供抑制信号Ｉｓｇが受信されなくなった時点で避難誘導アプリ３２による利用者への避難誘導に関する情報の提供が開始される。
【００６６】
尚、「所定の時間間隔」以下の時間である「第２の特定時間」待機しながら繰り返しステップＳ５３０を行うことが提供抑制信号検出ステップに相当し、同様に、「第２の特定時間」待機しながら繰り返しステップＳＳ５４０またはステップＳ５５０を行うことが提供制御ステップに相当する。
＜１．５  避難所・避難経路の探索＞
【００６７】
次に、図１１に示すフローチャートを参照しつつ、携帯端末装置２０における避難誘導アプリ３２の動作プロセスについて説明する。尚、前述のとおり、避難誘導アプリ３２の起動及び停止は提示管理アプリ３４により制御される。
【００６８】
避難誘導アプリ３２の起動後、現在位置情報取得手段２３０による現在位置情報Ｇｄａの取得が行われる（ステップＳ６１０）。また、誘導基礎情報記憶手段２２０に保存しておいた誘導基礎情報Ｂｄａの読み込みが行われる（ステップＳ６２０）。
【００６９】
次に、利用者は、利用者状況入力手段２６０によって、利用者の被災状況や運動能力などの個人状況の入力を行う（ステップＳ６３０）。また、利用者は、移動可能距離入力手段２７０によって、移動手段及び移動可能距離の入力を行う（ステップＳ６４０）。
【００７０】
利用者によって個人状況、及び移動手段・移動可能距離の入力が行われた後、避難経路探索手段２４０による避難経路探索処理（避難所・避難経路を探索する処理）が実行される（ステップＳ６５０）。その際、現在位置情報Ｇｄａ、利用者状況情報Ｉｄａ、移動能力情報Ｄｄａに基づいて、誘導基礎情報Ｂｄａを用いて利用者にとっての最適な避難所・避難経路が探索される。その後、探索結果Ｒｅとして、利用者にとっての最適な避難所と利用者の現在位置から避難所までの最適な避難経路とが表示手段２５０によって表示される（ステップＳ６７０）。尚、図１１におけるステップＳ６１０からステップＳ６７０までの処理は、適切な時間間隔をおいて繰り返し実行されることで、避難誘導に関する最新の情報を利用者に継続的に提示することが可能となる。
【００７１】
尚、本実施形態における、ステップＳ６１０が現在位置検出ステップに相当し、ステップＳ６３０が個人状況入力ステップに相当し、ステップＳ６４０が移動可能距離入力ステップに相当し、ステップＳ６５０が避難経路探索ステップに相当し、ステップＳ６７０が表示ステップに相当している。また、ステップＳ６３０、及びステップＳ６４０が利用者被災情報入力ステップに相当している。
＜１．５  効果＞
【００７２】
本実施形態にかかる避難経路提供システムによれば、平常時にはサーバ１０から「所定の時間間隔」以下の時間間隔で提供抑制信号Ｉｓｇを継続的に各携帯端末装置２０に送付することで、各携帯端末装置における利用者に対する避難誘導に関する情報の提示が抑制される。これに対し、非常時にはサーバ１０から継続的に各携帯端末装置２０へ提供抑制信号Ｉｓｇの送信を停止することのみで、各携帯端末装置における利用者に対する避難誘導に関する情報の提示を開始することができる。
【００７３】
このように、利用者の操作によらず避難誘導を開始することができるため、被災時の極限状態においても、利用者の心理状態によらず確実に避難誘導を行うことができる。
【００７４】
また、平常時には提供抑制信号Ｉｓｇを継続的に各携帯端末装置２０に送付し、災害発生時等の非常時に提供抑制信号Ｉｓｇの送信を停止することで各携帯端末装置２０における避難誘導を開始する態様を採用しているため、大規模災害などでサーバ１０と各携帯端末装置２０間の通信が不可能となった場合であっても、サーバ１０から提供抑制信号Ｉｓｇの送信を停止する場合と同様、即座に避難誘導を開始することが可能となり、確実に各携帯端末装置２０の利用者を適切な避難所へ誘導することが可能となる。
【００７５】
また、避難訓練を行う場合であっても、携帯端末装置２０の利用者の操作によらず一斉に避難誘導を開始することができるため、より現実に則した訓練を行うことが可能となる。
【００７６】
また、平常時には利用者に対する避難誘導に関する機能の提供を抑制することが可能であるため、開発に関して高いコストを要する地図ソフト等の目的外使用を防止することも可能である。
＜３．その他＞
【００７７】
尚、情報の提供の停止については、プロセスの停止に限定されず、提示管理アプリ３４から避難誘導アプリ３２に通知を行うことで、避難誘導に関する経路探索を停止したり、経路探索結果の表示を停止したりする等、種々の方法を採用することが可能である。
【００７８】
また、一定の間隔でデータの送信や受信を行う方法についても、上記実施形態に開示した内容に限られない。例えば、タイマ割り込みを用いて一定間隔ごとにデータの送信あるいは受信を行う動作を行ってもよい。
【符号の説明】
【００７９】
１０    サーバ
１４    補助記憶装置
１５    通信制御部
１６    入力操作部
１７    表示部
２０    携帯端末装置
２４    通信制御部
２５    処理部
２７    入力操作部
２８    表示部
３０    避難誘導・提示管理アプリ
３２    避難誘導アプリ
３４    提示管理アプリ
１３０    提供制御情報設定手段
１４０    提供抑制信号生成手段
１５０    データ送信手段
２１０    データ受信手段
２２０    誘導基礎情報記憶手段
２３０    現在位置情報取得手段
２４０    避難経路探索手段
２５０    表示手段
２６０    利用者状況入力手段
２７０    移動可能距離入力手段
【図１】
2016044981.tif 000003
【図２】
2016044981.tif 000004
【図３】
2016044981.tif 000005
【図４】
2016044981.tif 000006
【図５】
2016044981.tif 000007
【図６】
2016044981.tif 000008
【図７】
2016044981.tif 000009
【図８】
2016044981.tif 000010
【図９】
2016044981.tif 000011
【図１０】
2016044981.tif 000012
【図１１】
2016044981.tif 000013